(57)【要約】【課題】  法面に形成される孔が本来あけられるべき方向からずれて斜めに穿孔されてしまった場合であっても、アンカー受けを損傷してしまうことなく、土留め板を確実に法面に固定することができるとともに、法面に対する固定強度を向上させた法面植栽用土留め資材を提案する。【解決手段】  保持部２０の底面には、二つ以上のアンカー受２８が設けられ、このアンカー受２８に対しそれぞれアンカー３が差し込まれて土留め板２とアンカー３とを連結させながら、土留め板２が法面４に固定されるものであり、前記アンカー受２８は、円環状の挿入環２８Ａ、２８Ｂが、その開口面を対向させた状態で複数配されたものであることを特徴として成り、アンカー３の打ち込み時にアンカー受２８にかかるストレスを、挿入環２８Ａ、２８Ｂの変形によって吸収することができ、アンカー受２８の損傷を回避して土留め板２を法面４に確実に固定することが可能となる。【選択図】      図１
2008101367.tif 000002
【特許請求の範囲】
【請求項１】
法面を緑化施工するに際し用いられる植物設置用の土留め資材において、このものは、植物設置用の土留め板と、この土留め板を法面に固定するアンカーとを具えて成り、前記土留め板は、植物が設置される保持部と、この保持部における法面とは反対側に位置する前端辺に立ち上げられるストッパ部とを有し、これによって側面視Ｌ字状の形状とされたものであり、前記保持部の底面には、二つ以上のアンカー受が設けられ、このアンカー受に対しそれぞれアンカーが差し込まれて土留め板とアンカーとを連結させながら、土留め板が法面に固定されるものであり、前記アンカー受は、円環状の挿入環が、その開口面を対向させた状態で複数配されたものであることを特徴とする法面植栽用土留め資材。
【請求項２】
前記挿入環は、線材をループ状に曲げ加工して形成されたものであることを特徴とする請求項１記載の法面植栽用土留め資材。
【請求項３】
前記土留め板を法面に対し吊り下げ状態に保持するためのフックが具えられたことを特徴とする請求項１または２記載の法面植栽用土留め資材。
【請求項４】
前記フックは、土留め板に対して折り畳み可能な状態で装着されていることを特徴とする請求項３記載の法面植栽用土留め資材。
【発明の詳細な説明】
【技術分野】
【０００１】
本発明は法面を緑化施工するに際し用いられる法面植栽用土留め資材に関するものであって、特に法面への固定をより確実に行うための改良に係るものである。
【背景技術】
【０００２】
従来より道路建設や宅地造成の際に形成される切土面や盛土面の法面に対し、これを単にモルタル等で覆うのではなく、景観向上のため、樹木等を植栽する緑化工事を施すことが行われている。そしてこのような緑化工法において、樹木を植栽するに際し、平板状の部材と、これを法面に固定するためのアンカーとから成る法面植栽用土留め資材が適用されている（例えば特許文献１参照）。
【０００３】
しかしこのような法面植栽用土留め資材には、次のような問題点があった。
まず上述した法面植栽用土留め資材は、平板状の部材であるため、大雨時には、法面植栽用土留め資材上の植物や培養土等の基盤材が流失しやすく、また乾燥時には、植物や培養土等の基盤材が剥離脱落しやすくなっている。
また緑化作業を行うにあたって、実際の作業現場は、急傾斜地であるため危険を伴うものである。このため作業者は安全柵を付けて作業を行うものの、足元は不安定であることは否めず、打設した法面植栽用土留め資材を足場として利用し、この上に乗って作業する状況も見られた。その結果、法面植栽用土留め資材が、荷重に耐えられずに撓んでしまうようなこともあった。
【０００４】
そこで本出願人は、植物や培養土等の基盤材が流失や剥離脱落することを防ぐとともに、耐荷重性に優れ、作業者が法面植栽用土留め資材上に乗って作業したとしても変形してしまうことがない法面植栽用土留め資材を開発し、既に実用新案登録出願に及んでおり（特許文献２参照）上記問題点については既に解消されている。
【０００５】
しかしながら上記問題点の他にも以下に示すような問題も存在していた。
まず法面４に対してアンカー３′を打ち込むための孔Ｈを穿孔するためにはドリルが用いられるが、この際、足場が不安定な状態での作業であるため、図８（ａ）に示すように孔Ｈが本来あけられるべき方向からずれて斜めに穿孔されてしまうことがあるが、このような孔Ｈに対して、土留め板２′に具えられた筒状のアンカー受２８′に挿通状態としたアンカー３′を無理矢理打ち込むと、図８（ｂ）に示すようにアンカー受け２８′に過大なストレスが掛かって土留め板２′から取れてしまうことがあった。
また積雪量の多い地域や、大雨、集中豪雨の被害が多い地域では、土留め板２′にかかる負荷の最大値が多大なものとなるため、更なる法面への固定強度の向上が求められていた。
【特許文献１】実用新案登録第２５６７６４５号公報
【特許文献２】実用新案登録第３１２３５６６号公報
【発明の開示】
【発明が解決しようとする課題】
【０００６】
本発明はこのような背景からなされたものであって、法面に形成される孔が本来あけられるべき方向からずれて斜めに穿孔されてしまった場合であっても、アンカー受けを損傷してしまうことなく、土留め板を確実に法面に固定することができるとともに、法面に対する固定強度を向上させた法面植栽用土留め資材を提案しようとするものである。
【課題を解決するための手段】
【０００７】
すなわち請求項１記載の法面植栽用土留め資材は、法面を緑化施工するに際し用いられる植物設置用の土留め資材において、このものは、植物設置用の土留め板と、この土留め板を法面に固定するアンカーとを具えて成り、前記土留め板は、植物が設置される保持部と、この保持部における法面とは反対側に位置する前端辺に立ち上げられるストッパ部とを有し、これによって側面視Ｌ字状の形状とされたものであり、前記保持部の底面には、二つ以上のアンカー受が設けられ、このアンカー受に対しそれぞれアンカーが差し込まれて土留め板とアンカーとを連結させながら、土留め板が法面に固定されるものであり、前記アンカー受は、円環状の挿入環が、その開口面を対向させた状態で複数配されたものであることを特徴として成るものである。
【０００８】
また請求項２記載の法面植栽用土留め資材は、前記要件に加え、前記挿入環は、線材をループ状に曲げ加工して形成されたものであることを特徴として成るものである。
【０００９】
更にまた請求項３記載の法面植栽用土留め資材は、前記要件に加え、前記土留め板を法面に対し吊り下げ状態に保持するためのフックが具えられたことを特徴として成るものである。
【００１０】
更に請求項４記載の法面植栽用土留め資材は、前記請求項３記載の要件に加え、前記フックは、土留め板に対して折り畳み可能な状態で装着されていることを特徴として成るものである。
【発明の効果】
【００１１】
本発明の法面植栽用土留め資材は、上述した各請求項記載の発明の構成の手段により以下のような効果を奏するものである。
すなわち請求項１記載の法面植栽用土留め資材によれば、アンカーの打ち込み時にアンカー受にかかるストレスを、挿入環の変形によって吸収することができ、アンカー受の損傷を回避して土留め板を法面に確実に固定することが可能となる。
【００１２】
また請求項２記載の法面植栽用土留め資材によれば、アンカーの打ち込み時にアンカー受にかかるストレスを、挿入環のねじれや変形によって吸収することができ、アンカー受の損傷を回避して土留め板を法面に確実に固定することが可能となる。
【００１３】
また請求項３記載の法面植栽用土留め資材によれば、アンカーに加え、フックによって土留め板を法面に対して吊り下げ状態で保持するため、その固定強度を向上させることができる。
また施工の際にはフックをラス網に掛けて土留め板を安定させた状態でアンカーを打ち込むことが可能となり、より正確な施工が可能となる。
【００１４】
また請求項４記載の法面植栽用土留め資材によれば、土留め板を現場に持ち込む際にフックを折り畳んでおくことができるため、フックが搬送の邪魔になることはなく、また現場では折り畳まれていたフックを引き起こすとともに、これをラス網に掛けるだけでよいため、作業性を低下させてしまうことがない。
【発明を実施するための最良の形態】
【００１５】
本発明を実施するための最良の形態は、具体的には以下の実施例に述べる通りである。
【実施例】
【００１６】
以下本発明を図示の実施例に基づき説明する。図中符号１で示すものが本発明の法面植栽用土留め資材であり、このものは法面４の緑化用の植物５を強固に植栽するための補助材である。この法面植栽用土留め資材１上には培養土等が充填された植生袋６が設置され、これに前記植物５が植え込まれる。なお緑化施工は図６に示すように、法面４の一面に軟性のラス網８が張られ、その上に法面植栽用土留め資材１が設置されるとともに、全面に客土７を盛って行われる。
【００１７】
以下、前記法面植栽用土留め資材１について詳細に説明すると、このものは、植物５を設置するための土留め板２と、この土留め板２を法面４に固定するアンカー３とを具えて成る。
【００１８】
前記土留め板２は、側面視Ｌ字状を成すものであって、植物５が設置される保持部２０と、この保持部２０の前端辺２３（法面４とは、反対側に位置する辺）に立ち上げられるストッパ部２５とを有して成る。
この実施例では一例として図３（ａ）に示すように枠体２１に網体２２が取り付けられた平板状態のもの、を図３（ｂ）に示すように側面視９０°に屈曲して保持部２０とストッパ部２５とを形成し、その後、保持部２０の底面にアンカー受２８を取り付けるようにした。
ここで前記アンカー受２８は図２に示すように、円環状の挿入環２８Ａ（２８Ｂ）が、その開口面を対向させた状態で複数配されて構成されるものであり、この実施例では二つの挿入環２８Ａ、２８Ｂを配するようにした。因みに挿入環２８Ａ、２８Ｂと同様のものを追加して三つ以上設けるようにしてもよい。
またこのようなアンカー受２８を土留め板２の長手方向に適宜の間隔を空けて二箇所に設けるようにしたが、三箇所以上に設けるようにしてもよい。
なおこの実施例では、前記挿入環２８Ａ、２８Ｂは、線材をループ状に曲げ加工して形成するとともに、直線部２８Ｃを枠体２１や網体２２に固着させるようにしたが、図２（ｄ）に示すように円環状の挿入環２８Ａ、２８Ｂを直接、枠体２１や網体２２に固着させるようにしてもよい。
【００１９】
なお前記保持部２０の形状は、平面視矩形状の他、図４（ａ）に示すように法面４の形状に合わせて平面視台形状のもの、あるいは図４（ｂ）に示すように平面視略半円形状のもの、更には図４（ｃ）の斜視図に示すように中央が彎曲した中窪み状のものを用いるなど、種々の形状を採ることが可能である。
【００２０】
また法面植栽用土留め資材１には、前記土留め板２を法面４に固定するためのフック２９が具えられるものであり、この実施例では図５に示すように、土留め板２における枠体２１に対して折り畳み可能な状態でフック２９を装着するようにした。
【００２１】
本発明の法面植栽用土留め資材１は一例として以上のような具体的形態を有するものであって、以下このものを用いた緑化施工の態様について説明する。
（１）ラス網の張設
まず緑化施工を施すモルタル等の法面４に対し、複数個のスペーサ９を設置し、その上からラス網８を法面４全体に張設する（図１、６参照）。
【００２２】
（２）法面植栽用土留め資材の設置
次いで法面植栽用土留め資材１の設置個所に、左右のアンカー受２８の位置に対応した個所にドリルで孔Ｈを穿孔する（図２（ａ）参照）。
次に法面植栽用土留め資材１の折り畳まれていたフック２９を引き起こすとともに、これをラス網８に掛けて土留め板２を法面４に対して吊り下げ状態で設置する。次いでアンカー受２８に対しそれぞれアンカー３を差し込み、このアンカー３の先端を前記孔Ｈに打ち込んでゆく。
このとき、前記孔Ｈの穿孔作業は足場の悪い状況で行われるため、図２（ｂ）に示すような本来あけられるべき方向にあけられた孔Ｈとずれた方向に孔Ｈ′があけられてしまうことがあるが（図２（ｃ）参照）、本発明の法面植栽用土留め資材１にあっては、アンカー３の打ち込み時にアンカー受２８にかかるストレスを、挿入環２８Ａ、２８Ｂのねじれや変形によって吸収することができ、アンカー受２８の損傷を回避して土留め板２を法面４に確実に固定することが可能となる。
またアンカー３を打ち込む際に、土留め板２はフック２９によってラス網８に吊り下げ状態で保持されることとなるため、アンカー３の打ち込みを安定した状態で確実に行うことができる。
また土留め板２は、アンカー３とフック２９との双方によって法面４に固定されるため、その固定強度が向上することとなる。
【００２３】
なおこの実施例では、図６に示すように法面植栽用土留め資材１を、保持部２０がほぼ水平状態となるように設置し、更に図７に示すように千鳥状に設置するようにした。このように千鳥状に設置することにより、隣合う法面植栽用土留め資材１の間に雨水の通り道を作ることができる。
【００２４】
（３）植物の設置
次に土留め板２の保持部２０に対し植物５が収容された植生袋６を載置し、適宜紐材、その他の部材によって土留め板２に固定する。前記植生袋６は、通水性を有するとともに、植物５の根５ａが通過できるような合成樹脂、麻、木綿等で形成された網状のものが採用され、その中には培養土等が充填される。ちなみに、植生袋６を設置した後、この植生袋６に植物５を植えるような手順を採ってもよい。なお植生袋６を載置するにあたって、保持部２０に対し水持ちの良い保水性マットを敷設してその上に植生袋６を載置するようにしてもよい。
【００２５】
（４）客土の吹き付け
そして前記植物５の設置が終了した後、法面４全体に客土７を吹き付けていく。もちろん植物５の設置前に、ある程度客土７を吹き付けておき、植物５を設置した後に再度客土７を吹き付けるような態様を採ることも可能である。
【図面の簡単な説明】
【００２６】
【図１】本発明の法面植栽用土留め資材の使用状態を一部拡大して示す斜視図である。
【図２】法面植栽用土留め資材を示す斜め下方からの斜視図（ａ）及びアンカー受部を拡大して示す斜視図（ｂ）（ｃ）及びアンカー受の形態を異ならせた斜視図（ｄ）である。
【図３】法面植栽用土留め資材を示す斜視図、側面図及び正面図である。
【図４】保持部の形状を異ならせた種々の態様を示す平面図（ａ）（ｂ）と斜視図（ｃ）である。
【図５】フックの折り畳みの様子を示す正面図である。
【図６】法面植栽用土留め資材を使用した施工例を示す縦断側面図である。
【図７】法面植栽用土留め資材の配置例を示す正面図である。
【図８】従来の法面植栽用土留め資材の問題点を示す斜視図である。
【符号の説明】
【００２７】
１      法面植栽用土留め資材
２      土留め板
３      アンカー
４      法面
５      植物
５ａ    根
６      植生袋
７      客土
８      ラス網
９      スペーサ
２０    保持部
２１    枠体
２２    網体
２３    前端辺
２５    ストッパ部
２８    アンカー受
２８Ａ  挿入環
２８Ｂ  挿入環
２８Ｃ  直線部
２９    フック
Ｈ      孔
【図１】
2008101367.tif 000003
【図２】
2008101367.tif 000004
【図３】
2008101367.tif 000005
【図４】
2008101367.tif 000006
【図５】
2008101367.tif 000007
【図６】
2008101367.tif 000008
【図７】
2008101367.tif 000009
【図８】
2008101367.tif 000010